【手続補正書】
【提出日】平成18年5月11日(2006.5.11)
【手続補正１】
【補正対象書類名】明細書
【補正対象項目名】発明の名称
【補正方法】変更
【補正の内容】
【発明の名称】バッテリ残量表示機能を備えた電子機器、バッテリ残量表示方法及びバッテリ
【手続補正２】
【補正対象書類名】明細書
【補正対象項目名】特許請求の範囲
【補正方法】変更
【補正の内容】
【特許請求の範囲】
【請求項１】
複数の表示部を有する電子機器本体と、
前記電子機器本体を駆動するバッテリであって、バッテリセルおよび、当該バッテリセルの放電電流情報を生成し、生成した前記放電電流情報を前記電子機器本体に送信する機能を有した制御手段を備えたバッテリと、
前記電子機器本体に設けられたバッテリ残量情報生成手段とを有し、
前記バッテリ残量情報生成手段では、現在のバッテリ容量でのバッテリ使用可能時間が、前記複数の表示部の使用態様に応じてそれぞれ算出され、
算出された前記バッテリ使用可能時間がバッテリ残量情報として前記表示部上に表示されることを特徴とするバッテリ残量表示機能を備えた電子機器。
【請求項２】
前記電子機器は、携帯型ビデオカメラ装置であることを特徴とする請求項１記載のバッテリ残量表示機能を備えた電子機器。
【請求項３】
前記携帯型ビデオカメラ装置には表示部が設けられ、前記表示部は、電子的ビューファインダ、被写体像を表示する表示パネルを少なくとも含むことを特徴とする請求項２記載のバッテリ残量表示機能を備えた電子機器。
【請求項４】
前記表示部の表示態様としては、少なくとも前記電子的ビューファインダを使用した第１の表示モード、前記表示パネルを使用した第２の表示モード、前記電子的ビューファインダと表示パネルの双方を使用した第３の表示モードであることを特徴とする請求項３記載のバッテリ残量表示機能を有した電子機器。
【請求項５】
前記第１、第２および第３の表示モードの他に、通信回線を使用した情報の授受を、前記表示パネルを使用して行う第４の表示モードを有することを特徴とする請求項４記載のバッテリ残量表示機能を備えた電子機器。
【請求項６】
前記表示部の表示態様における前記バッテリのそれぞれの使用可能時間は、同時に一覧表示するか、または切り替え表示されることを特徴とする請求項１記載のバッテリ残量表示機能を備えた電子機器。
【請求項７】
前記バッテリの充電中でも、前記バッテリの使用可能時間が前記表示部に表示できるようになされたことを特徴とする請求項１記載のバッテリ残量表示機能を備えた電子機器。
【請求項８】
複数の表示部を有し、かつ、バッテリ残量情報生成機能を有した電子機器本体でバッテリ残量を表示する方法であって、
前記電子機器本体を駆動するバッテリセルの放電電流情報を生成するステップと、  生成した前記放電電流情報を前記電子機器本体に送信するステップと、
前記放電電流情報を受信した電子機器本体で複数の表示部の使用態様に応じて現在のバッテリ容量でのバッテリ使用可能時間をそれぞれ算出するステップと、
算出された前記バッテリ使用可能時間をバッテリ残量情報として前記表示部上に表示するステップとを有することを特徴とするバッテリ残量表示方法。
【請求項９】
現在のバッテリ容量でのバッテリ使用可能時間が複数の表示部の使用態様に応じてそれぞれ算出され、算出された前記バッテリ使用可能時間がバッテリ残量情報として表示可能な表示部及び、バッテリ残量情報生成機能を備えた電子機器本体を駆動するためのバッテリであって、
前記電子機器本体を駆動するバッテリセルと、
前記バッテリセルの放電電流情報を生成し、生成した前記放電電流情報を前記電子機器本体に送信する機能を有した制御手段とを備えることを特徴とするバッテリ。
【手続補正３】
【補正対象書類名】明細書
【補正対象項目名】０００１
【補正方法】変更
【補正の内容】
【０００１】
【発明の属する技術分野】
この発明は、携帯型ビデオカメラ装置、携帯型電話機、携帯型情報端末装置およびネットワークによる通信機能を備えたこれらの電子機器の電源として用いられるバッテリパックの残量を表示することができるバッテリ残量表示機能付き電子機器、バッテリ残量表示方法及びバッテリに関する。
【手続補正４】
【補正対象書類名】明細書
【補正対象項目名】００１３
【補正方法】変更
【補正の内容】
【００１３】
そこで、この発明はこのような従来の課題を解決したものであって、その電子機器が採りうる全ての表示モードにおけるバッテリの残量表示換言すれば、バッテリの使用可能時間を同時に若しくは切り替えて表示できるようにしたバッテリ残量表示機能付き電子機器、バッテリ残量表示方法及びバッテリを提供するものである。
【手続補正５】
【補正対象書類名】明細書
【補正対象項目名】００１４
【補正方法】変更
【補正の内容】
【００１４】
【課題を解決するための手段】
上述した課題を解決するため、請求項１に記載した本発明に係るバッテリ残量表示機能を備えた電子機器は、複数の表示部を有する電子機器本体と、
前記電子機器本体を駆動するバッテリであって、バッテリセルおよび、当該バッテリセルの放電電流情報を生成し、生成した前記放電電流情報を前記電子機器本体に送信する機能を有した制御手段を備えたバッテリと、
前記電子機器本体に設けられたバッテリ残量情報生成手段とを有し、
前記バッテリ残量情報生成手段では、現在のバッテリ容量でのバッテリ使用可能時間が、前記複数の表示部の使用態様に応じてそれぞれ算出され、
算出された前記バッテリ使用可能時間がバッテリ残量情報として前記表示部上に表示されることを特徴とするものである。
【手続補正６】
【補正対象書類名】明細書
【補正対象項目名】００１８
【補正方法】変更
【補正の内容】
【００１８】
バッテリの使用可能時間は、バッテリの充電中のときでも表示部に表示できる。モニタスイッチなどを設け、これを操作したときだけ表示部に使用可能時間を表示することもできる。バッテリ充電中の他に、電子機器を使用しているときや、未使用時（待機時）でも使用可能時間を表示できる。
請求項８に記載する本発明に係るバッテリ残量表示方法は、複数の表示部を有し、かつ、バッテリ残量情報生成機能を有した電子機器本体でバッテリ残量を表示する方法であって、
前記電子機器本体を駆動するバッテリセルの放電電流情報を生成するステップと、  生成した前記放電電流情報を前記電子機器本体に送信するステップと、
前記放電電流情報を受信した電子機器本体で複数の表示部の使用態様に応じて現在のバッテリ容量でのバッテリ使用可能時間をそれぞれ算出するステップと、
算出された前記バッテリ使用可能時間をバッテリ残量情報として前記表示部上に表示するステップとを有することを特徴とするものである。
請求項９に記載する本発明に係るバッテリは、現在のバッテリ容量でのバッテリ使用可能時間が複数の表示部の使用態様に応じてそれぞれ算出され、算出された前記バッテリ使用可能時間がバッテリ残量情報として表示可能な表示部及び、バッテリ残量情報生成機能を備えた電子機器本体を駆動するためのバッテリであって、
前記電子機器本体を駆動するバッテリセルと、
前記バッテリセルの放電電流情報を生成し、生成した前記放電電流情報を前記電子機器本体に送信する機能を有した制御手段とを備えることを特徴とするものである。
【手続補正７】
【補正対象書類名】明細書
【補正対象項目名】００１９
【補正方法】変更
【補正の内容】
【００１９】
【発明の実施の形態】
続いて、この発明に係るバッテリ残量表示機能付き電子機器、バッテリ残量表示方法及びバッテリを携帯用ビデオカメラ装置に適用した場合について、その実施の形態を図面を参照して説明する。
このビデオカメラ装置１は、図１に示すように、被写体を撮像する機器本体１０と、機器本体１０に対して電源を供給するバッテリパック５０とを備える。機器本体１０は、携帯可能な大きさで、図示する例ではほぼ矩形状に形成されている。機器本体１０には、その前面部に被写体を撮像する例えばＣＣＤ素子を用いた光学系を含めた撮像部１１が設けられる。撮像部１１が設けられた前面部と対向する背面部には、第１の表示部として機能するビューファインダ例えば電子的なビューファインダ（ＥＶＦ）１３が配設されている。ビューファインダ１３は、撮影者が接眼することで表示状態となるように押圧スイッチ（接眼センサ）１３ａが設けられ、接眼時だけ撮影中の被写体などが映し出されたり、バッテリの残量表示、つまりバッテリの残りの使用可能時間や、ファンクションモードなどが重ねて表示される。
【手続補正８】
【補正対象書類名】明細書
【補正対象項目名】００６１
【補正方法】変更
【補正の内容】
【００６１】
【発明の効果】
以上説明したようにこの発明に係るバッテリ残量表示機能付き電子機器、バッテリ残量表示方法及びバッテリによれば、表示部の使用態様が複数存在するとき、そのそれぞれの表示モードでの残りの使用可能時間を同時に表示するか、切り替え表示できるようにしたものである。